(57)【特許請求の範囲】
【請求項１】
左妻枠（３）及び右妻枠（４）と、
後枠（５）と、
開閉自在な扉（６ｃ）を備えた前枠（６）と、
一対の支持脚部材（７ａ、７ｂ）と、
長さの異なる複数の床板（８、８ａ、８ｂ、８ｃ、８ｄ）と、
二対の長い支持杆（９ａ、９ａ、９ｂ、９ｂ）と、
一対の短い支持杆（１０ａ、１０ｂ）と、
補強部材（１１）と
を少なくとも備え、
前記左妻枠（３）と右妻枠（４）と後枠（５）及び前枠（６）とによってベビーベッド枠（１２）を組み立て、
このベビーベッド枠（１２）の中に床板（８）を設けるとともにこの床板（８）の下方に複数の床板（８ａ、８ｂ、８ｃ、８ｄ）のいずれかを棚板として取り付けることによって、この棚板に前記前枠（６）の扉（６ｃ）を介してアクセス可能なベビーベッド（１）を組み立てでき、
かつ、このベビーベッド（１）を左妻枠（３）と右妻枠（４）と後枠（５）と前枠（６）と床板（８）及び棚板とに分解し、
前記一対の長い支持杆（９ａ、９ｂ）と一対の短い支持杆（１０ａ、１０ｂ）とを各支持脚部材（７ａ、７ｂ）を介して長手方向に連結するか、叉は、前記二対の長い支持杆（９ａ、９ａ、９ｂ、９ｂ）を各支持脚部材（７ａ、７ｂ）を介して長手方向に連結するかをし、長さの異なるＴ字状の各一対の支持枠（１７ａ、１７ｂ）を選択的に組み立て、
前記分解した左妻枠（３）並びに右妻枠（４）を横転させ、
選択的に組み立てた前記Ｔ字状の一対の支持枠（１７ａ、１７ｂ）と補強部材（１１）と横転させた前記左妻枠（３）及び右妻枠（４）とによってチャイルドベッド枠（２１）叉はジュニアベッド枠（１８）を組み立て、
このチャイルドベッド枠（２１）叉はジュニアベッド枠（１８）の中に前記棚板として使用した床板を含む複数の床板（８ａ、８ｂ、８ｃ、８ｄ）を組み合わせて載置して、前記ベビーベッド（１）より大きく、大きさの異なるチャイルドベッド（２０）叉はジュニアベッド（２）を選択的に組み立てできることを特徴とするベッドユニット。
【請求項２】
左妻枠（３）及び右妻枠（４）と、
後枠（５）と、
開閉自在な扉（６ｃ）を備えた前枠（６）と、
一対の支持脚部材（７ａ、７ｂ）と、
長さの異なる複数の床板（８、８ａ、８ｂ、８ｄ）と、
一対の長い支持杆（９ａ、９ｂ）と、
一対の短い支持杆（１０ａ、１０ｂ）と、
補強部材（１１）と
を少なくとも備え、
前記左妻枠（３）と右妻枠（４）と後枠（５）及び前枠（６）とによってベビーベッド枠（１２）を組み立て、
このベビーベッド枠（１２）の中に床板（８）を設けるとともにこの床板（８）の下方に複数の床板（８ａ、８ｂ、８ｄ）のいずれかを棚板として取り付けることによって、この棚板に前記前枠（６）の扉（６ｃ）を介してアクセス可能なベビーベッド１を組み立てでき、
かつ、このベビーベッド（１）を左妻枠（３）と右妻枠（４）と後枠（５）と前枠（６）と床板（８）及び棚板とに分解し、
前記一対の長い支持杆（９ａ、９ｂ）と一対の短い支持杆（１０ａ、１０ｂ）を、各支持脚部材（７ａ、７ｂ）を介して長手方向に連結しＴ字状の一対の支持枠（１７ａ、１７ｂ）を組み立て、
前記分解した左妻枠（３）並びに右妻枠（４）を横転させ、
前記Ｔ字状の一対の支持枠（１７ａ、１７ｂ）と補強部材（１１）と横転させた前記左妻枠（３）及び右妻枠（４）とによってチャイルドベッド枠（２１）を組み立て、
このチャイルドベッド枠（２１）の中に前記棚板として使用した床板を含む複数の床板（８ａ、８ｂ、８ｄ）を載置して、前記ベビーベッド（１）より大きなチャイルドベッド（２０）を組み立てできることを特徴とするベッドユニット。
【請求項３】
左妻枠（３）及び右妻枠（４）と、
後枠（５）と、
開閉自在な扉（６ｃ）を備えた前枠（６）と、
一対の支持脚部材（７ａ、７ｂ）と、
長さの異なる複数の床板（８、８ａ〜８ｃ）と、
二対の長い支持杆（９ａ、９ａ、９ｂ、９ｂ）と、
補強部材（１１）と
を少なくとも備え、
前記左妻枠（３）と右妻枠（４）と後枠（５）及び前枠（６）とによってベビーベッド枠（１２）を組み立て、
このベビーベッド枠（１２）の中に床板（８）を設けるとともにこの床板（８）の下方に複数の床板（８ａ〜８ｃ）のいずれかを棚板として取り付けることによってこの棚板に前記前枠（６）の扉（６ｃ）を介してアクセス可能なベビーベッド（１）を組み立てでき、
かつ、このベビーベッド（１）を左妻枠（３）と右妻枠（４）と後枠（５）と前枠（６）及び床板（８）及び棚板とに分解し、
前記各一対の長い支持杆（９ａ、９ａ及び９ｂ、９ｂ）を、各支持脚部材（７ａ、７ｂ）を介して長手方向に連結しＴ字状の一対の支持枠（１７ａ、１７ｂ）を組み立て、
前記分解した左妻枠（３）並びに右妻枠（４）を横転させ、
前記Ｔ字状の一対の支持枠（１７ａ、１７ｂ）と補強部材（１１）と横転させた前記左妻枠（３）及び右妻枠（４）とによってジュニアベッド枠（１８）を組み立て、
このジュニアベッド枠（１８）の中に前記棚板として使用した床板を含む複数の床板（８ａ〜８ｃ）を載置して、前記ベビーベッド（１）より大きなジュニアベッド（２）を組み立てできることを特徴とするベッドユニット。
【請求項４】
左妻枠（３）及び右妻枠（４）と、
後枠（５）と、
開閉自在な扉（６ｃ）を備えた前枠（６）と、
一対の支持脚部材（７ａ、７ｂ）と、
長さの異なる複数の床板（８、８ａ、８ｂ、８ｃ、８ｄ）と、
二対の長い支持杆（９ａ、９ａ、９ｂ、９ｂ）と、
一対の短い支持杆（１０ａ、１０ｂ）と、
補強部材（１１）と
を少なくとも備え、
前記左妻枠（３）と右妻枠（４）と後枠（５）及び前枠（６）とによってベビーベッド枠（１２）を組み立て、
このベビーベッド枠（１２）の中に床板（８）を設けるとともにこの床板（８）の下方に複数の床板（８ａ、８ｂ、８ｃ、８ｄ）のいずれかを棚板として取り付けることによって、この棚板に前記前枠（６）の扉（６ｃ）を介してアクセス可能なベビーベッド１を組み立てでき、
かつ、このベビーベッド（１）を左妻枠（３）と右妻枠（４）と後枠（５）と前枠（６）及び床板（８）及び棚板とに分解し、
前記一対の長い支持杆（９ａ、９ｂ）と一対の短い支持杆（１０ａ、１０ｂ）とを各支持脚部材（７ａ、７ｂ）を介して長手方向に連結するか、叉は、前記二対の長い支持杆（９ａ、９ａ、９ｂ、９ｂ）を各支持脚部材（７ａ、７ｂ）を介して長手方向に連結するかをし、長さの異なるＴ字状の各一対の支持枠（１７ａ、１７ｂ）を選択的に組み立て、
選択的に組み立てた前記Ｔ字状の一対の支持枠（１７ａ、１７ｂ）と補強部材（１１）と左妻枠（３）及び右妻枠（４）とによってチャイルドベッド枠（２１）叉はジュニアベッド枠（１８）を組み立て、
このチャイルドベッド枠（２１）叉はジュニアベッド枠（１８）の中に前記棚板として使用した床板を含む複数の床板（８ａ、８ｂ、８ｃ、８ｄ）を組み合わせて載置して、前記ベビーベッド（１）より大きく、大きさの異なるチャイルドベッド（２０）叉はジュニアベッド（２）を選択的に組み立てできることを特徴とするベッドユニット。
【請求項５】
左妻枠（３）及び右妻枠（４）と、
後枠（５）と、
開閉自在な扉（６ｃ）を備えた前枠（６）と、
一対の支持脚部材（７ａ、７ｂ）と、
長さの異なる複数の床板（８、８ａ、８ｂ、８ｄ）と、
一対の長い支持杆（９ａ、９ｂ）と、
一対の短い支持杆（１０ａ、１０ｂ）と、
補強部材（１１）と
を少なくとも備え、
前記左妻枠（３）と右妻枠（４）と後枠（５）及び前枠（６）とによってベビーベッド枠（１２）を組み立て、
このベビーベッド枠（１２）の中に床板（８）を設けるとともにこの床板（８）の下方に複数の床板（８ａ、８ｂ、８ｄ）のいずれかを棚板として取り付けることによって、この棚板に前記前枠（６）の扉（６ｃ）を介してアクセス可能なベビーベッド１を組み立てでき、
かつ、このベビーベッド（１）を左妻枠（３）と右妻枠（４）と後枠（５）と前枠（６）と床板（８）及び棚板とに分解し、
前記一対の長い支持杆（９ａ、９ｂ）と一対の短い支持杆（１０ａ、１０ｂ）を、各支持脚部材（７ａ、７ｂ）を介して長手方向に連結しＴ字状の一対の支持枠（１７ａ、１７ｂ）を組み立て、
前記Ｔ字状の一対の支持枠（１７ａ、１７ｂ）と補強部材（１１）と左妻枠（３）及び右妻枠（４）とによってチャイルドベッド枠（２１）を組み立て、
このチャイルドベッド枠（２１）の中に前記棚板として使用した床板を含む複数の床板（８ａ、８ｂ、８ｄ）を載置して、前記ベビーベッド（１）より大きなチャイルドベッド（２０）を組み立てできることを特徴とするベッドユニット。
【請求項６】
左妻枠（３）及び右妻枠（４）と、
後枠（５）と、
開閉自在な扉（６ｃ）を備えた前枠（６）と、
一対の支持脚部材（７ａ、７ｂ）と、
長さの異なる複数の床板（８、８ａ〜８ｃ）と、
二対の長い支持杆（９ａ、９ａ、９ｂ、９ｂ）と、
補強部材（１１）と
を少なくとも備え、
前記左妻枠（３）と右妻枠（４）と後枠（５）及び前枠（６）とによってベビーベッド枠（１２）を組み立て、
このベビーベッド枠（１２）の中に床板（８）を設けるとともにこの床板（８）の下方に複数の床板（８ａ〜８ｃ）のいずれかを棚板として取り付けることによってこの棚板に前記前枠（６）の扉（６ｃ）を介してアクセス可能なベビーベッド（１）を組み立てでき、
かつ、このベビーベッド（１）を左妻枠（３）と右妻枠（４）と後枠（５）と前枠（６）及び床板（８）及び棚板とに分解し、
前記各一対の長い支持杆（９ａ、９ａ及び９ｂ、９ｂ）を、各支持脚部材（７ａ、７ｂ）を介して長手方向に連結しＴ字状の一対の支持枠（１７ａ、１７ｂ）を組み立て、
前記Ｔ字状の一対の支持枠（１７ａ、１７ｂ）と補強部材（１１）と左妻枠（３）及び右妻枠（４）とによってジュニアベッド枠（１８）を組み立て、
このジュニアベッド枠（１８）の中に前記棚板として使用した床板を含む複数の床板（８ａ〜８ｃ）を載置して、前記ベビーベッド（１）より大きなジュニアベッド（２）を組み立てできることを特徴とするベッドユニット。
【発明の詳細な説明】
【０００１】
【発明の属する技術分野】
本発明は、赤ちゃんの使用するベビーベッドや、幼児が使用できるチャイルドベッドや、小学生（低・中学年）が使用できるジュニアベッドを組み立てられるベッドユニットに関するものである。
【０００２】
【従来の技術】
従来からベビーベッドにも各種のものがあり、赤ちゃんがいる多くの家庭で使用されている。また、最近では不要になったベビーベッドをラックやベンチ等に組み替えて使用できるようにしたものも開発されている。
【０００３】
また、赤ちゃんは、成長するにつれて背丈も伸び、幼児や小学生になる頃には背丈や横幅も大きくなり体重も増えていく。
【０００４】
【発明が解決しようとする課題】
このように赤ちゃんから幼児、子供（小学生）へと成長していくにつれて、もはや従来のベビーベッドでは使用困難となり、殆ど使用されなくなる。また、従来のベビーベッドでは、幼児や小学生でも使用できる大きさのベッドに組み替える、といったことはできなかった。
【０００５】
本発明は前記のような点に鑑みて開発されたものであり、その目的とするところは、ベビーベッドをサイズの大きなチャイルドベッド、或いはジュニアベッドに組み替えて、赤ちゃんのときから幼児まで、或いは小学生（低・中学年）位まで使用することができ、更にチャイルドベッドやジュニアベッドに組み替えて使用した場合でも、体重の重くなった子供の重さでベッドの中央が撓むといったことのないチャイルドベッド、ジュニアベッドを組み立てることができるベッドユニットを提供することにある。
【０００６】
【課題を解決するための手段】
そこで、本発明は前記の目的を有効に達成するために、次のような構成にしてある。すなわち、請求項１記載の本発明のベッドユニットは、左妻枠（３）及び右妻枠（４）と、後枠（５）と、開閉自在な扉（６ｃ）を備えた前枠（６）と、一対の支持脚部材（７ａ、７ｂ）と、長さの異なる複数の床板（８、８ａ、８ｂ、８ｃ、８ｄ）と、二対の長い支持杆（９ａ、９ａ、９ｂ、９ｂ）と、一対の短い支持杆（１０ａ、１０ｂ）と、補強部材（１１）とを少なくとも備え、前記左妻枠（３）と右妻枠（４）と後枠（５）及び前枠（６）とによってベビーベッド枠（１２）を組み立て、このベビーベッド枠（１２）の中に床板（８）を設けるとともにこの床板（８）の下方に複数の床板（８ａ、８ｂ、８ｃ、８ｄ）のいずれかを棚板として取り付けることによって、この棚板に前記前枠（６）の扉（６ｃ）を介してアクセス可能なベビーベッド（１）を組み立てでき、かつ、このベビーベッド（１）を左妻枠（３）と右妻枠（４）と後枠（５）と前枠（６）と床板（８）及び棚板とに分解し、前記一対の長い支持杆（９ａ、９ｂ）と一対の短い支持杆（１０ａ、１０ｂ）とを各支持脚部材（７ａ、７ｂ）を介して長手方向に連結するか、叉は、前記二対の長い支持杆（９ａ、９ａ、９ｂ、９ｂ）を各支持脚部材（７ａ、７ｂ）を介して長手方向に連結するかをし、長さの異なるＴ字状の各一対の支持枠（１７ａ、１７ｂ）を選択的に組み立て、前記分解した左妻枠（３）並びに右妻枠（４）を横転させ、選択的に組み立てた前記Ｔ字状の一対の支持枠（１７ａ、１７ｂ）と補強部材（１１）と横転させた前記左妻枠（３）及び右妻枠（４）とによってチャイルドベッド枠（２１）叉はジュニアベッド枠（１８）を組み立て、このチャイルドベッド枠（２１）叉はジュニアベッド枠（１８）の中に前記棚板として使用した床板を含む複数の床板（８ａ、８ｂ、８ｃ、８ｄ）を組み合わせて載置して、前記ベビーベッド（１）より大きく、大きさの異なるチャイルドベッド（２０）叉はジュニアベッド（２）を選択的に組み立てできることを特徴とする構成である。
【０００７】
請求項２記載の本発明のベッドユニットは、左妻枠（３）及び右妻枠（４）と、後枠（５）と、開閉自在な扉（６ｃ）を備えた前枠（６）と、一対の支持脚部材（７ａ、７ｂ）と、長さの異なる複数の床板（８、８ａ、８ｂ、８ｄ）と、一対の長い支持杆（９ａ、９ｂ）と、一対の短い支持杆（１０ａ、１０ｂ）と、補強部材（１１）とを少なくとも備え、前記左妻枠（３）と右妻枠（４）と後枠（５）及び前枠（６）とによってベビーベッド枠（１２）を組み立て、このベビーベッド枠（１２）の中に床板（８）を設けるとともにこの床板（８）の下方に複数の床板（８ａ、８ｂ、８ｄ）のいずれかを棚板として取り付けることによって、この棚板に前記前枠（６）の扉（６ｃ）を介してアクセス可能なベビーベッド１を組み立てでき、かつ、このベビーベッド（１）を左妻枠（３）と右妻枠（４）と後枠（５）と前枠（６）と床板（８）及び棚板とに分解し、前記一対の長い支持杆（９ａ、９ｂ）と一対の短い支持杆（１０ａ、１０ｂ）を、各支持脚部材（７ａ、７ｂ）を介して長手方向に連結しＴ字状の一対の支持枠（１７ａ、１７ｂ）を組み立て、前記分解した左妻枠（３）並びに右妻枠（４）を横転させ、前記Ｔ字状の一対の支持枠（１７ａ、１７ｂ）と補強部材（１１）と横転させた前記左妻枠（３）及び右妻枠（４）とによってチャイルドベッド枠（２１）を組み立て、このチャイルドベッド枠（２１）の中に前記棚板として使用した床板を含む複数の床板（８ａ、８ｂ、８ｄ）を載置して、前記ベビーベッド（１）より大きなチャイルドベッド（２０）を組み立てできることを特徴とする構成である。
【０００８】
請求項３記載の本発明のベッドユニットは、左妻枠（３）及び右妻枠（４）と、後枠（５）と、開閉自在な扉（６ｃ）を備えた前枠（６）と、一対の支持脚部材（７ａ、７ｂ）と、長さの異なる複数の床板（８、８ａ〜８ｃ）と、二対の長い支持杆（９ａ、９ａ、９ｂ、９ｂ）と、補強部材（１１）とを少なくとも備え、前記左妻枠（３）と右妻枠（４）と後枠（５）及び前枠（６）とによってベビーベッド枠（１２）を組み立て、このベビーベッド枠（１２）の中に床板（８）を設けるとともにこの床板（８）の下方に複数の床板（８ａ〜８ｃ）のいずれかを棚板として取り付けることによってこの棚板に前記前枠（６）の扉（６ｃ）を介してアクセス可能なベビーベッド（１）を組み立てでき、かつ、このベビーベッド（１）を左妻枠（３）と右妻枠（４）と後枠（５）と前枠（６）及び床板（８）及び棚板とに分解し、前記各一対の長い支持杆（９ａ、９ａ及び９ｂ、９ｂ）を、各支持脚部材（７ａ、７ｂ）を介して長手方向に連結しＴ字状の一対の支持枠（１７ａ、１７ｂ）を組み立て、前記分解した左妻枠（３）並びに右妻枠（４）を横転させ、前記Ｔ字状の一対の支持枠（１７ａ、１７ｂ）と補強部材（１１）と横転させた前記左妻枠（３）及び右妻枠（４）とによってジュニアベッド枠（１８）を組み立て、このジュニアベッド枠（１８）の中に前記棚板として使用した床板を含む複数の床板（８ａ〜８ｃ）を載置して、前記ベビーベッド（１）より大きなジュニアベッド（２）を組み立てできることを特徴とする構成である。
【０００９】
請求項４記載の本発明のベッドユニットは、左妻枠（３）及び右妻枠（４）と、後枠（５）と、開閉自在な扉（６ｃ）を備えた前枠（６）と、一対の支持脚部材（７ａ、７ｂ）と、長さの異なる複数の床板（８、８ａ、８ｂ、８ｃ、８ｄ）と、二対の長い支持杆（９ａ、９ａ、９ｂ、９ｂ）と、一対の短い支持杆（１０ａ、１０ｂ）と、補強部材（１１）とを少なくとも備え、前記左妻枠（３）と右妻枠（４）と後枠（５）及び前枠（６）とによってベビーベッド枠（１２）を組み立て、このベビーベッド枠（１２）の中に床板（８）を設けるとともにこの床板（８）の下方に複数の床板（８ａ、８ｂ、８ｃ、８ｄ）のいずれかを棚板として取り付けることによって、この棚板に前記前枠（６）の扉（６ｃ）を介してアクセス可能なベビーベッド１を組み立てでき、かつ、このベビーベッド（１）を左妻枠（３）と右妻枠（４）と後枠（５）と前枠（６）及び床板（８）及び棚板とに分解し、前記一対の長い支持杆（９ａ、９ｂ）と一対の短い支持杆（１０ａ、１０ｂ）とを各支持脚部材（７ａ、７ｂ）を介して長手方向に連結するか、叉は、前記二対の長い支持杆（９ａ、９ａ、９ｂ、９ｂ）を各支持脚部材（７ａ、７ｂ）を介して長手方向に連結するかをし、長さの異なるＴ字状の各一対の支持枠（１７ａ、１７ｂ）を選択的に組み立て、選択的に組み立てた前記Ｔ字状の一対の支持枠（１７ａ、１７ｂ）と補強部材（１１）と左妻枠（３）及び右妻枠（４）とによってチャイルドベッド枠（２１）叉はジュニアベッド枠（１８）を組み立て、このチャイルドベッド枠（２１）叉はジュニアベッド枠（１８）の中に前記棚板として使用した床板を含む複数の床板（８ａ、８ｂ、８ｃ、８ｄ）を組み合わせて載置して、前記ベビーベッド（１）より大きく、大きさの異なるチャイルドベッド（２０）叉はジュニアベッド（２）を選択的に組み立てできることを特徴とする構成である。
【００１０】
請求項５記載の本発明のベッドユニットは、左妻枠（３）及び右妻枠（４）と、後枠（５）と、開閉自在な扉（６ｃ）を備えた前枠（６）と、一対の支持脚部材（７ａ、７ｂ）と、長さの異なる複数の床板（８、８ａ、８ｂ、８ｄ）と、一対の長い支持杆（９ａ、９ｂ）と、一対の短い支持杆（１０ａ、１０ｂ）と、補強部材（１１）とを少なくとも備え、前記左妻枠（３）と右妻枠（４）と後枠（５）及び前枠（６）とによってベビーベッド枠（１２）を組み立て、このベビーベッド枠（１２）の中に床板（８）を設けるとともにこの床板（８）の下方に複数の床板（８ａ、８ｂ、８ｄ）のいずれかを棚板として取り付けることによって、この棚板に前記前枠（６）の扉（６ｃ）を介してアクセス可能なベビーベッド１を組み立てでき、かつ、このベビーベッド（１）を左妻枠（３）と右妻枠（４）と後枠（５）と前枠（６）と床板（８）及び棚板とに分解し、前記一対の長い支持杆（９ａ、９ｂ）と一対の短い支持杆（１０ａ、１０ｂ）を、各支持脚部材（７ａ、７ｂ）を介して長手方向に連結しＴ字状の一対の支持枠（１７ａ、１７ｂ）を組み立て、前記Ｔ字状の一対の支持枠（１７ａ、１７ｂ）と補強部材（１１）と左妻枠（３）及び右妻枠（４）とによってチャイルドベッド枠（２１）を組み立て、このチャイルドベッド枠（２１）の中に前記棚板として使用した床板を含む複数の床板（８ａ、８ｂ、８ｄ）を載置して、前記ベビーベッド（１）より大きなチャイルドベッド（２０）を組み立てできることを特徴とする構成である。
【００１１】
請求項６記載の本発明のベッドユニットは、左妻枠（３）及び右妻枠（４）と、後枠（５）と、開閉自在な扉（６ｃ）を備えた前枠（６）と、一対の支持脚部材（７ａ、７ｂ）と、長さの異なる複数の床板（８、８ａ〜８ｃ）と、二対の長い支持杆（９ａ、９ａ、９ｂ、９ｂ）と、補強部材（１１）とを少なくとも備え、前記左妻枠（３）と右妻枠（４）と後枠（５）及び前枠（６）とによってベビーベッド枠（１２）を組み立て、このベビーベッド枠（１２）の中に床板（８）を設けるとともにこの床板（８）の下方に複数の床板（８ａ〜８ｃ）のいずれかを棚板として取り付けることによってこの棚板に前記前枠（６）の扉（６ｃ）を介してアクセス可能なベビーベッド（１）を組み立てでき、かつ、このベビーベッド（１）を左妻枠（３）と右妻枠（４）と後枠（５）と前枠（６）及び床板（８）及び棚板とに分解し、前記各一対の長い支持杆（９ａ、９ａ及び９ｂ、９ｂ）を、各支持脚部材（７ａ、７ｂ）を介して長手方向に連結しＴ字状の一対の支持枠（１７ａ、１７ｂ）を組み立て、前記Ｔ字状の一対の支持枠（１７ａ、１７ｂ）と補強部材（１１）と左妻枠（３）及び右妻枠（４）とによってジュニアベッド枠（１８）を組み立て、このジュニアベッド枠（１８）の中に前記棚板として使用した床板を含む複数の床板（８ａ〜８ｃ）を載置して、前記ベビーベッド（１）より大きなジュニアベッド（２）を組み立てできることを特徴とする構成である。
【００１５】
【発明の実施の形態】
以下、本発明の実施の形態について説明する。
図１〜図４は本発明に係る1例のベッドユニットに関する図であり、図１は本発明に係るベッドユニットによって組み立てたベビーベッド１の斜視図であり、図２はベビーベッド１を分解してジュニアベッド２（図４参照）（叉はチャイルドベッド）を組み立てる場合の説明図であり、図３はジュニアベッド２（叉はチャイルドベッド）を組み立てるときに使用する部材の斜視図であり、図4はジュニアベッド２の斜視図である。尚、便宜上、後述する他の例で示したチャイルドベッド２０を示す図８を参照してこのベッドユニットを以下に説明する。
【００１６】
このベッドユニットは、図１〜図２に示すように長方形状の左妻枠３及び右妻枠４と、後枠５と、上部前枠６ａ及び下部前枠６ｂからなる前枠６と、一対の支持脚部材７ａ、７ｂと、複数の床板８、８ａ、８ｂ、８ｃと、二対の長い支持杆９ａ、９ｂと、一対の短い支持杆１０ａ、１０ｂ及び補強部材１１、更に４個のキャスター１３及び床板用の支持杆（図示せず）を備えている。
【００１７】
前記のベッドユニットの所定の部材によってベビーベッド１を組み立てる場合は、前記左妻枠３と右妻枠４と後枠５及び前枠６とによって図示のような長方形状のベビーベッド枠１２（図１参照）を組み立て、このベッド枠１２の中の略中間位置に、水平に床板８を設けることによって分解可能なベビーベッド１を組み立てることができる。また、ベビーベッド１の四隅の底部にはそれぞれキャスター１３を設けて、ベビーベッド１を簡単に移動させることができるようにするとよい。
【００１８】
前記のベビーベッド１の対峙する左妻枠３と右妻枠４との前枠６側の内側には、それぞれ縦溝１４が形成してあり、左妻枠３並びに右妻枠４の各縦溝１４（片方図示せず）に上部前枠６ａの両側部を係合させ、この上部前枠６ａを上下に移動させることができるようにしてある。上部前枠６ａを左妻枠３と右妻枠４との上半分の位置に位置させた場合は、固定ピン２３で上部前枠６ａを両妻枠３、４に固定することができる。
【００１９】
また、左妻枠３並びに右妻枠４の各短辺枠部１５には、中央部より少し片方に寄った位置に２個の孔１６が設けてある。この孔１６は、ベビーベッド１をチャイルドベッド２０（図８参照）叉はジュニアベッド２に組み替えるときに、ネジを挿入して支持杆９ａ、９ｂ叉は支持杆１０ａ、１０ｂと、左妻枠３並びに右妻枠４とを連結するときに使用するために形成されている。
【００２０】
赤ちゃんが成長して前記ベビーベッド１が不要になってきた場合には、ベビーベッド１を分解するとともに、他の部材と組み合わせて、幼児が使用できるチャイルドベッド２０（図８参照）、または小学生（低・中学年）が使用できるジュニアベッド２（図４参照）に組み替えることができる。
【００２１】
すなわち、ベビーベッド１を一旦分解し、二対の長い支持杆９ａ、９ｂ、叉は一対の長い支持杆９ａ（叉は９ｂ）と１対の短い支持杆１０ａ、１０ｂをそれぞれ支持脚部材７ａ、７ｂを介して長手方向に連結しＴ字状の２対（２組）の支持枠１７ａ、１７ｂを組み立てる。
【００２２】
次に図２に示すようにベビーベッド１を分解した左妻枠３並びに右妻枠４を横転させて、前記Ｔ字状の２組の支持枠１７ａ、１７ｂと左妻枠３及び右妻枠４とによって矩形状のチャイルドベッド枠２１（図８参照）叉はジュニアベッド枠１８（図４参照）を組み立てる。チャイルドベッド枠２１叉はジュニアベッド枠１８を構成する支持杆９ａ、９ｂ及び支持杆１０ａ、１０ｂの内面側には、長手方向に沿って床板８ａ、８ｂ、８ｄ叉は床板８ａ〜８ｃを載置するための支持杆（図示せず）が設けてある。
【００２３】
このチャイルドベッド枠２１叉はジュニアベッド枠１８の中に複数の床板８ａ、８ｂ、８ｄ叉は床板８ａ〜８ｃを設けることによって、前記ベビーベッド１より大きくて、大きさの異なる２組のチャイルドベッド２０（図８参照）叉はジュニアベッド２（図４参照）を選択的に組み立てることができる。
【００２４】
チャイルドベッド２０は、一対の長い支持杆９ａ、９ｂと１対の短い支持杆１０ａ、１０ｂとを使用して支持枠１７ａ、１７ｂを組み立てた場合の長さの短い例えば床板長さ１５０ｃｍのベッドである。またジュニアベッド２は、二対の長い支持杆９ａ、９ｂを使用して支持枠１７ａ、１７ｂを組み立てた場合の長さの最も長い例えば床板長さ１８０ｃｍのベッドである。
【００２５】
ベビーベッド１を前記のようなチャイルドベッド２０（図８参照）叉はジュニアベッド２（図４参照）に組み替えることによって、本発明に係るベッドユニットは、赤ちゃんのときから幼児まで、或いは赤ちゃんのときから幼児や小学生（低・中学年）位までの長い期間、大きさの異なるベッドとして使用することができる。
【００２６】
また、ジュニアベッド２（叉はチャイルドベッド２０）に組み替えた場合に、連結する支持杆９ａ、９ａ及び９ｂ、９ｂ（叉は１０ａ、１０ｂ）の連結部分を支持脚部材７ａ、７ｂで連結するため、ジュニアベッド２（叉はチャイルドベッド２０）の中央箇所叉は略中央箇所の両側を支持脚部材７ａ、７ｂで支持することになり、大きくなった子供（叉は幼児）が使用しても中央部分で撓んだりすることもなく安心して使用できる。
【００２７】
次に図５〜図８は、本発明に係る他の例のベッドユニットに関する図であり、図５はベッドユニットによって組み立てたベビーベッド１の斜視図であり、図６はベビーベッド１を分解してチャイルドベッド２０（図８参照）を組み立てる場合の説明図であり、図７はチャイルドベッド２０を組み立てるときに使用する部材の斜視図であり、図８はチャイルドベッド２０の斜視図である。尚、前記した図１〜図４に示す構成と同様の構成については、同一符号を付して詳細な説明を省略する。
【００２８】
このベッドユニットは、長方形状の左妻枠３及び右妻枠４と、後枠５と、上部前枠６ａ及び下部前枠６ｂからなる前枠６と、一対の支持脚部材７ａ、７ｂ（図６、図７参照）と、複数の床板８、８ｄ、８ｂ、８ｃと、一対の長い支持杆９ａ、９ｂと、一対の短い支持杆１０ａ、１０ｂ及び補強部材１１、更に４個のキャスター１３及び支持杆（図示せず）を備えている。
【００２９】
図５に示すベビーベッド１を組み立てる場合は、図１に示すベビーベッド１の組み立てと同様であり説明を省略する。
【００３０】
そしてベビーベッド１を分解してチャイルドベッド２０に組み替える場合は、ベビーベッド１を分解し、長い支持杆９ａ（９ｂ）と短い支持杆１０ａ（１０ｂ）とを、それぞれ支持脚部材７ａ、７ｂを介して長手方向にＴ字状に連結し、一対の支持枠１７ａ、１７ｂを組み立てる。
【００３１】
次に前記ベビーベッド１を分解した左妻枠３並びに右妻枠４を横転させて、前記Ｔ字状の一対の支持枠１７ａ、１７ｂと左妻枠３及び右妻枠４とによって矩形状のチャイルドベッド枠２１を組み立てる。チャイルドベッド枠２１を構成する支持杆９ａ、９ｂ及び支持杆１０ａ、１０ｂの内面には、長手方向に沿って床板８ｄ、８ｂ、８ｃを載置するための支持杆（図示せず）が設けられている。
【００３２】
このチャイルドベッド枠２１の中に複数の床板８ｄ、８ｂ、８ｃを設けることによって、前記ベビーベッド１より大きなチャイルドベッド２０を組み立てできる。このチャイルドベッド２０は、例えば床板長さ１５０ｃｍである。
【００３３】
このベッドユニットの場合も、赤ちゃんのときから幼児までの長い期間、ベッドとして使用することができる。また、このチャイルドベッド２０も支持脚部材７ａ、７ｂによって支持されるため、使用中の撓みが防止され、安心して幼児を寝かすことができる。
【００３４】
図９〜図１２は、本発明の他の構成のベッドユニットによってベビーベッド１、チャイルドベッド２０（図１２参照）、ジュニアベッド２（図１１参照）を選択的に組み立てられる場合を説明する図である。すなわち、図９は幅広に形成した左妻枠３並びに右妻枠４によって組み立てられたベビーベッド１の斜視図であり、図１０は図９のベビーベッド１を分解してジュニアベッド２叉はチャイルドベッド２０を組み立てる場合の説明図であり、図１１は幅広に形成した左妻枠並びに右妻枠を使用して組み立てた他の例のジュニアベッド２の斜視図であり、図１２は幅広な左妻枠並びに右妻枠を使用して組み立てた他の例のチャイルドベッド２０の斜視図である。
【００３５】
尚、本発明に係るベッドユニットによって組み立てられる図９〜図１２に示す例のベビーベッド１、ジュニアベッド２、チャイルドベッド２０の構成,組み立て方法については、前記した例と殆ど同じであり、同一の構成部分については同一符号を付して説明を省略し、異なる点について以下に説明する。
【００３６】
この場合のベッドユニットは、前記したベッドユニットの構成部品と殆ど同じである。しかし、左妻枠３並びに右妻枠４の幅Ｗ（図９参照）は、前記した例のベッドユニットの左妻枠３並びに右妻枠４（図１参照）の幅と比べ幅広であり、チャイルドベッド２０叉は／及びジュニアベッド２を組み立てるときに、左妻枠３並びに右妻枠４を横倒しにして使用することなく、ベビーベッド１を組み立てる場合と同様に立てた状態で組み立てることができる。すなわち、左妻枠３並びに右妻枠４の幅Ｗが、ベビーベッド１を組み立てたときに対峙する後枠５と前枠６との両外面２２ａ、２２ｂ間の間隔より大である。そのため、図示の例では、左妻枠３並びに右妻枠４の両側の縦枠部材１９の幅は、図１に示す例より広く構成してある。
【００３７】
また、この左妻枠３並びに右妻枠４の各縦枠部材１９の下端寄り叉は中間部には、２個の孔１６が設けてある。この孔１６は、左妻枠３並びに右妻枠４をチャイルドベッド２０（図１２参照）叉はジュニアベッド２（図１１参照）に組み替えるときに、ネジを挿入して支持杆９ａ、９ｂ及び支持杆１０ａ、１０ｂと、左妻枠３並びに右妻枠４とを連結するときに使用する。
【００３８】
尚、チャイルドベッド２０、ジュニアベッド２を組み立てる場合に、左妻枠３並びに右妻枠４を横倒しすることなく立てた状態で組み立てる以外は、図１〜図８を参照して説明した前記の例と同様である。
【００３９】
また、前記した図３叉は図７に示す部材は、図９〜図１２に示すベビーベッド１、チャイルドベッド２０、ジュニアベッド２を組み立てるベッドユニットに備えられている（図は省略する）。更にこの例のベッドユニットにおいては、左妻枠３並びに右妻枠４の片側の縦枠部材１９の幅を図９に示す縦枠部材１９の幅より更に広くし、もう片側の縦枠部材１９の幅は、図１に示す縦枠部材と同様にしてもよい。また、縦枠部材１９間に配されている板部材の幅を広く構成した左妻枠３並びに右妻枠４であってもよい。
【００４０】
また、チャイルドベッド２０、ジュニアベッド２を組み立てる場合に、図１に示す左妻枠３並びに右妻枠４を立てた状態で使用できるように、左妻枠３並びに右妻枠４の縦枠部材に連結材（図示せず）を介してネジ等によって縦長幅広板（図示せず）を連結し、幅広なチャイルドベッド２０、ジュニアベッド２に対応できるようにしてもよい。この場合は、ベッドユニットに前記連結材（図示せず）及ぶ縦長幅広板（図示せず）を備える。そして左妻枠３並びに右妻枠４に形成される孔１６は、図９のように縦枠部材に叉は縦枠部材にも形成される。
【００４１】
尚、本発明のベッドユニットは、ベビーベッド１とジュニアベッド２とチャイルドベッド２０、叉はベビーベッド１とジュニアベッド２、叉はベビーベッド１とチャイルドベッド２０を組み立てられる構成部材(部品)を有するものである。
【００４２】
前記した全ての例のベビーベッド１やジュニアベッド２やチャイルドベッド２０の構成部材の連結には、ネジや、ボルト・ナット等の接続部品が使用される。
【００４３】
また、本発明は構成部品の大きさ、形状、デザイン等を任意に設計変更してもよい。また使用する部品を追加してもよい。また、本発明のベッドユニットは、ベビーベッド、ジュニアベッド及び／叉はチャイルドベッドを組み立てることができれば、床板の大きさ・形状・枚数、左妻枠・右妻枠・後枠・前枠・支持脚部材の大きさ・形状を変更してもよい。支持脚部材の数は、二対以上であってもよい。支持杆の数も前記の例に限定されることなく三対以上であってもよい。また、支持杆の長さも特定の長さに限定することなく任意に設計変更してよい。更にジュニアベッドやチャイルドベッドにキャスターを設けてもよい。
【００４４】
また、図示の例に示すベッドユニット（図１〜図４参照）は、ベビーベッドを分解してチャイルドベッド、ジュニアベッドに組み替えられるユニットであり、図５〜図８に示すベッドユニットは、ベビーベッドを分解してチャイルドベッドに組み替えられるユニットであるが、ベビーベッドを分解してジュニアベッドに組み替えられるベッドユニットであってもよい。尚、本発明に係る長い支持杆９ａ、９ｂとは、短い支持杆１０ａ、１０ｂに対して長い支持杆を意味し、短い支持杆１０ａ、１０ｂとは、長い支持杆９ａ、９ｂに対して短い支持杆を意味する。これらの支持杆の長さは限定されるものではない。
【００４５】
更にベビーベッドの床板８の下方に棚板を設け、ベビーベッドとして使用しているときは、扉６ｃ（図１、図９参照）を開閉できる下部前枠６ｂの前記扉６ｃを開閉して赤ちゃんの肌着等を棚板８ｂ（図５参照）の上に保管する。この棚板８ｂは、ベビーベッドをチャイルドベッド２０叉はジュニアベッド２に組み替えて使用する場合の各ベッドの床板として使用してもよい。
【００４６】
【発明の効果】
以上、前記した説明でも明らかなように本発明のベッドユニットでは、ベビーベッドとして組み立て使用でき、赤ちゃんが大きくなるとベビーベッドより大きなチャイルドベッド叉はジュニアベッドに組み替え使用できるので、赤ちゃん用のベビーベッドとして、また幼児用のチャイルドベッド叉は／及び小学生（低・中学年）用のジュニアベッドとして、その時々に必要な大きさのベッドとして使用することができる。そのため本発明のベッドユニットは経済的である。
【００４７】
また、赤ちゃんが大きくなってきてベビーベッドが不要になり、ベビーベッドを分解して、ベビーベッドより大きなチャイルドベッドに組み替える場合、更にチャイルドベッドを分解してジュニアベッドに組み替える場合、幅広の左妻枠及び右妻枠を備えているベッドユニットにおいては、左妻枠及び右妻枠を横倒しにすることなくチャイルドベッド或いはジュニアベッドを組み立てることができ、組み立てをより簡単に行うことができる。
【００４８】
また、本発明のベッドユニットは、ベビーベッドの床板の下方に設ける棚板を備えたことによって、この棚板に肌着や玩具等を保管しておくことができる。
【００４９】
また、棚板は、チャイルドベッド叉はジュニアベッドを組み立てるときの床板の一部として使用することによって、ベッドユニットを構成する部品点数を少なくすることができる。
【００５０】
【図面の簡単な説明】
【図１】本発明に係るベッドユニットによって組み立てたベビーベッド１の斜視図である。
【図２】ベビーベッド１を分解してジュニアベッド２（叉はチャイルドベッド２０）を組み立てる場合の説明図である。
【図３】ジュニアベッド２（叉はチャイルドベッド２０）を組み立てるときに使用する部材の斜視図である。
【図４】ジュニアベッド２の斜視図である。
【図５】本発明に係るベッドユニットによって組み立てた他の例のベビーベッド１の斜視図である。
【図６】ベビーベッド１を分解してチャイルドベッド２０を組み立てる場合の説明図である。
【図７】チャイルドベッド２０を組み立てるときに使用する他の例の部材の斜視図である。
【図８】チャイルドベッド２０の斜視図である。
【図９】幅広な左妻枠並びに右妻枠によって組み立てられたベビーベッドの斜視図である。
【図１０】図９のベビーベッド１を分解してジュニアベッド２叉はチャイルドベッド２０を組み立てる場合の説明図である。
【図１１】幅広な左妻枠並びに右妻枠を使用して組み立てた他の例のジュニアベッド２の斜視図である。
【図１２】幅広な左妻枠並びに右妻枠を使用して組み立てた他の例のチャイルドベッド２０の斜視図である。
【符号の説明】
１  ベビーベッド
２  ジュニアベッド
３  左妻枠
４  右妻枠
５  後枠
６  前枠
７ａ、７ｂ  支持脚部材
８、８ａ、８ｂ、８ｃ  床板
８ｄ  棚板（叉は床板）
９ａ、９ｂ  長い支持杆
１０ａ、１０ｂ  短い支持杆
１２  ベビーベッド枠
１７ａ、１７ｂ  Ｔ字状の２組の支持枠
１８  ジュニアベッド枠
２０  チャイルドベッド
２１  チャイルドベッド枠
【図１】
0004737818.tif 000002
【図２】
0004737818.tif 000003
【図３】
0004737818.tif 000004
【図４】
0004737818.tif 000005
【図５】
0004737818.tif 000006
【図６】
0004737818.tif 000007
【図７】
0004737818.tif 000008
【図８】
0004737818.tif 000009
【図９】
0004737818.tif 000010
【図１０】
0004737818.tif 000011
【図１１】
0004737818.tif 000012
【図１２】
0004737818.tif 000013